(57)【要約】【課題】新たな機構等や大きなスペースを必要とせず、さらに、大きく意匠が変わることなく、空調吹出口装置の前フィンで気流を偏向したときに奥フィンで偏向された気流の指向性の低下を抑えることができる空調吹出口装置を提供する。【解決手段】可動フィン群３０は奥フィン３１および前フィン３２を備え、奥フィン３１は前フィン３２よりも気流５１の上流側に配設され、奥フィン３１は気流５１を左右方向に偏向し、前フィン３２は気流５１を上下方向に偏向する空調吹出口装置１０において、奥フィン３１が気流５１を左右方向に偏向した状態にて奥フィン３１の上流側端部３１ｂが壁２１に接触し、壁２１の接触箇所の上流側部位２１ａに空気取入口４０を設け、空気取入口４０に接続した空気流通路４１を設け、空気吹出口２０付近の壁２１に奥フィン３１による気流５１の偏向方向に向いた出口４２を設ける。【選択図】図１
2008030511.tif 000002
【特許請求の範囲】
【請求項１】
空調吹出口装置内に送り込まれた気流を空気吹出口から吹き出す空調吹出口装置であって、前記空気吹出口から吹き出す気流の方向を偏向させる可動フィン群が空調吹出口装置内に配置され、前記可動フィン群は奥フィンおよび前フィンを備え、前記奥フィンは前記前フィンよりも前記気流の上流側に配設され、前記奥フィンは前記気流を左右方向または上下方向に偏向し、前記前フィンは前記気流を前記奥フィンの気流偏向方向と直交する方向に偏向する空調吹出口装置において、
前記奥フィンが気流を左右方向または上下方向に偏向した状態にて前記奥フィンの上流側端部が空調吹出口装置の壁に接触し、前記壁の接触箇所の上流側部位に空気取入口を設け、前記空気取入口に接続した空気流通路を設け、前記空気吹出口付近の壁に前記奥フィンによる気流の偏向方向に向いた出口を設けたことを特徴とする空調吹出口装置。
【請求項２】
請求項１に記載した空調吹出口装置であって、
前記空気取入口は長方形であり、この長方形は一対の長辺および一対の短辺を有し、下流側の長辺は前記奥フィンの前記壁の接触箇所に対応していることを特徴とする空調吹出口装置。
【請求項３】
請求項１または２に記載した空調吹出口装置であって、
前記前フィンは連動する複数のフィンを備え、前記連動する複数のフィンの間を前記奥フィンにより偏向された気流が流れ、前記空気流通路の出口は複数の部分に分岐し、前記出口の分岐した各部分から吹き出す気流は前記奥フィンにより偏向された気流を前記奥フィンの偏向方向に偏向することを特徴とする空調吹出装置。
【請求項４】
請求項３に記載した空調吹出口装置であって、
前記出口の分岐した各部分は前記壁に垂直な筒状であることを特徴とする空調吹出口装置。
【発明の詳細な説明】
【技術分野】
【０００１】
本願発明は、車両等の空調吹出口装置に関し、特に前フィンで気流を偏向させても奥フィンによる気流の偏向の指向性が低下しないようにする技術に関するものである。
【背景技術】
【０００２】
従来、車両の空調吹出口装置から吹き出す気流の指向性を改善するために、種々の工夫がなされている。例えば、空調吹出口装置内のフィンの振れる動作や形状により指向性の向上を図るものがある（特許文献１参照）。また、空調吹出口装置内のフィンの上流側の流路の幅を狭くしたものがある（特許文献２参照）。また、空調吹出口装置内の別の流路から気流を出すようにしたものもある（特許文献３参照）。
【特許文献１】特開平６−２４７１３７号公報
【特許文献２】特開平７−２６６８６５号公報
【特許文献３】特開平５−３３２６０７号公報
【発明の開示】
【発明が解決しようとする課題】
【０００３】
しかし、上述の従来例では、空調吹出口装置の複雑なフィンの形状や、このフィンの操作構造が必要となり、また、空調吹出口装置に別の流路などを設ける場合、ダンパなどの流れの制御機構が必要になる。また、空調吹出口装置に別に吹出口を設けると、従来と異なる意匠や流路のスペースが必要となるという問題があった。
そこで、本願発明の課題は、新たな機構等や大きなスペースを必要とせず、さらに、大きく意匠が変わることなく、空調吹出口装置の前フィンで気流を偏向したときに奥フィンで偏向された気流の指向性が低下することを抑えることができる空調吹出口装置を提供することである。
【課題を解決するための手段】
【０００４】
上記課題を解決するため、請求項１記載の発明は、空調吹出口装置内に送り込まれた気流を空気吹出口から吹き出す空調吹出口装置であって、前記空気吹出口から吹き出す気流の方向を偏向させる可動フィン群が空調吹出口装置内に配置され、前記可動フィン群は奥フィンおよび前フィンを備え、前記奥フィンは前記前フィンよりも前記気流の上流側に配設され、前記奥フィンは前記気流を左右方向または上下方向に偏向し、前記前フィンは前記気流を前記奥フィンの気流偏向方向と直交する方向に偏向する空調吹出口装置において、前記奥フィンが気流を左右方向または上下方向に偏向した状態にて前記奥フィンの上流側端部が空調吹出口装置の壁に接触し、前記壁の接触箇所の上流側部位に空気取入口を設け、前記空気取入口に接続した空気流通路を設け、前記空気吹出口付近の壁に前記奥フィンによる気流の偏向方向に向いた出口を設けたことを特徴とする空調吹出口装置である。
請求項１記載の発明により、前記奥フィンが気流を左右方向または上下方向に偏向した状態にて前記奥フィンの上流端部が接触する、空調吹出口装置の壁の前記接触箇所の上流側部位に設けた空気取入口に前記奥フィンの上流側端部付近の空気が取り入れられ、この空気取入口に取り入れられた空気が空気流通路を通って空気流通路の出口から吹き出る。その際、前記空気流通路の出口が前記奥フィンにより偏向された気流の偏向方向を向いているので、この出口から吹き出る気流により前記奥フィンにより偏向された気流を前記奥フィンによる偏向方向に偏向することができる。
【０００５】
請求項２記載の発明は、請求項１に記載した空調吹出口装置であって、  請求項１に記載した空調吹出口装置であって、前記空気取入口は長方形であり、この長方形は一対の長辺および一対の短辺を有し、下流側の長辺は前記奥フィンの前記壁の接触箇所に対応していることを特徴とする空調吹出口装置である。
請求項２記載の発明により、長方形の空気取入口の下流側の長辺が前記奥フィンの前記壁の接触箇所に対応しているので、前記奥フィンにより気圧が高くなった状態の空気を容易に空気取入口から取り入れることができる。
【０００６】
請求項３記載の発明は、請求項１または２に記載した空調吹出口装置であって、前記前フィンは連動する複数のフィンを備え、前記連動する複数のフィンの間を前記奥フィンにより偏向された気流が流れ、前記空気流通路の出口は複数の部分に分岐し、前記出口の分岐した各部分から吹き出る気流は前記奥フィンにより偏向された気流を前記奥フィンの偏向方向に偏向することを特徴とする空調吹出装置である。
請求項３記載の発明により、空気流通路の出口の分岐した複数の部分から吹き出る気流は前記奥フィンにより偏向された気流を前記奥フィンの偏向方向に偏向するので、各前フィンごとに奥フィンの気流の偏向の指向性の低下を防ぐことができる。
【０００７】
請求項４記載の発明は、請求項３に記載した空調吹出口装置であって、前記出口の分岐した各部分は前記壁に垂直な筒状であることを特徴とする空調吹出口装置である。
請求項４記載の発明により、前記出口の分岐した各部分は前記壁に垂直な筒状であるので、奥フィンによる気流の偏向の指向性が前フィンにより低下することを防ぐことが容易になる。
【発明の効果】
【０００８】
請求項１記載の発明によれば、新たな機構等や大きなスペースを必要とせず、さらに、大きく意匠が変わることなく、空調吹出口装置の前フィンで気流を偏向したときに奥フィンで偏向された気流の指向性の低下を抑えることができる。
さらに、請求項２記載の発明によれば、請求項１記載の発明の効果とともに、空気取入口から空気を取り入れることが容易になる。
さらに、請求項３記載の発明によれば、請求項１または２記載の発明の効果とともに、奥フィンで偏向された気流の指向性の低下を抑えることが容易になる。
さらに、請求項４記載の発明によれば、請求項３記載の発明の効果とともに、空気流通路の出口から吹き出る気流により、奥フィンによる気流の偏向の指向性をよくすることができる。
【発明を実施するための最良の形態】
【０００９】
以下、本発明における実施の形態を図面に基づいて説明する。
図１は、本発明の実施の形態に係る空調吹出口装置を示し、図２は図１の横断面を示し、図３は図１の一方の側壁を内部からみた状態を示し、図４は前記空調吹出口装置の動作状態を示し、図５は図４の空調吹出口装置の近傍部分を拡大して示す。図６は比較例の空調吹出口装置の動作状態を示し、図７は図６の空調吹出口装置の近傍部分を拡大して示す。
【００１０】
図１に示すように、ダッシュボード１に空調吹出口装置１０が取り付けられている。空調吹出口装置１０内に送り込まれた気流５１を空気吹出口２０から吹き出す空調吹出口装置１０であって、空気吹出口２０から吹き出す気流５１の方向を偏向させる可動フィン群３０が空調吹出口装置１０内に配置され、可動フィン群３０は奥フィン３１および前フィン３２を備えている。奥フィン３１は４枚の連動する縦フィン３１ａを備え、前フィン３２は９枚の連動する横フィン３２ａを備えている。なお、縦フィン３１ａを連動させる機構および横フィン３２ａを連動させる機構は周知のものであるので、それらの説明を省略する。
また、空調吹出口装置１０の壁２１は、一方の側壁２１ａ、他方の側壁２１ｂ、上側壁２１ｃおよび下側壁２１ｄからなっている。そして、壁２１の図示手前の端部は空気吹出口２０の縁となっている。
【００１１】
奥フィン３１は前フィン３２よりも気流５１の上流側に配設され、奥フィン３１の縦フィン３１ａは気流５１を左右方向に偏向し、前フィン３２の横フィン３２ａは気流５１を奥フィン３１の気流偏向方向と直交する方向（上下方向）に偏向する。
図２に示すように、奥フィン３１の縦フィン３１ａが気流５１を左右方向に偏向した状態にて縦フィン３１ａの上流側端部３１ｂが空調吹出口装置１０の壁２１のうち一方の側壁２１ａに接触し、一方の側壁２１ａの接触箇所２１ｘの上流側部位２１ｙに空気取入口４０を設け、空気取入口４０に接続したチャンバー状の空気流通路４１を設け、空気吹出口２０付近の一方の側壁２１ａに奥フィン３１による気流５１の偏向方向に向いた出口４２を設けている。
なお、図１に示すように、空気流通路４１の外形は平板状であり、その一方の板面４１ａおよび他方の板面４１ｂは一方の側壁２１ａに平行になるように配設されている。このため、空気流通路４１を付加しても空調吹出口装置１０の外形寸法の増加を少なくすることができる。
【００１２】
図３に示すように、空気取入口４０は長方形であり、この長方形は一対の長辺４０ａ、４０ｂおよび一対の短辺４０ｃ、４０ｄを有している。図２に示すように、下流側の長辺４０ａは縦フィン３１ａの一方の側壁２１ａの接触箇所２１ｘに対応している。
【００１３】
さらに、図１に示すように、前フィン３２の９枚の横フィン３２ａの間を奥フィン３１により偏向された気流５１の第１部分５１ａが流れる。気流５１の第１部分５１ａは気流５１のうち空気取入口４０から取り入れられた空気の流れを除いたものである。
図３に示すように、出口４２は８個の部分４２ａに分岐している。図２に示すように、分岐した各部分４２ａから吹き出る気流５１の第２部分５１ｂが気流５１の第１部分５１ａを奥フィン３１の偏向方向に偏向する。
なお、図１に示すように、分岐した各部分４２ａは一方の側壁２１ａに垂直な筒状である。この筒状の各部分４２ａの内径は２〜３ｍｍである。なお、空気流通路４１がチャンバー状であるので、各部分４２ａから気流５１の第２部分５１ｂが均一に吹き出る。
【００１４】
上記構成の空調吹出口装置１０は、以下の動作をする。
図４および図５に示すように、奥フィン３１の４枚の縦フィン３１ａが気流５１を左右方向に偏向した状態にて縦フィン３１ａの上流側端部３１ｂが接触する、空調吹出口装置１０の一方の側壁２１ａの接触箇所２１ｘの上流側部位２１ｙに設けた空気取入口４０に縦フィン３１ａの上流側端部３１ｂ付近の空気が取り入れられる。このとき、縦フィン３１ａが気流５１の第１部分５１ａを上述のように偏向することにより、縦フィン３１ａの上流側の気圧が高くなっており、この高くなった気圧が空気流通路４１内に加わる。
【００１５】
空気取入口４０に取り入れられた空気が空気流通路４１を通って空気流通路４１の出口４２から吹き出て気流５１の第２部分５１ｂとなる。その際、空気流通路４１の出口４２が奥フィン３１により偏向された気流５１の第１部分５１ａの偏向方向に向いているので、この出口４２から吹き出る気流５１の第２部分５１ｂにより気流５１の第１部分５１ａを奥フィン３１による偏向方向に偏向することができる。このため、図３に示すように、気流５１の第１部分５１ａと気流５１の第２部分５１ｂが合流した気流５２の偏向角度が１８度となる。
また、出口４２付近の気圧は空気流通路４１の内部の気圧より低いため、出口４２より気流５１の第２部分５１ｂが強く吹き出る。この気流５１の第２部分５１ｂは、気流５１の第１部分５１ａを偏向しようとしている方向に吹き出し、奥フィン３１により偏向された気流５１の第１部分５１ａと干渉するので、気流５１の第１部分５１ａと気流５１の第２部分５１ｂを合わせた気流５２がきれいに吹き出すことになる。
【００１６】
図６および図７は比較例であり、図４および図５から空気取入口４０、空気流通路４１および出口４２を除いた空調吹出口装置１０ｘを示す。なお、図７は図６の空調吹出口装置１０ｘ付近を拡大して示す。図６の場合では、空調吹出口装置１０ｘの空気吹出口２０ｘから吹き出る気流５２ｘの偏向角度が１２度となる。
図７では、奥フィン３１で気流５１ｘを左右方向に偏向しても、前フィン３２で気流５１ｘを上下方向に偏向した場合には、気流５１ｘの奥フィン３１による偏向の程度が弱くなるからである。これに対し、図５では、前フィン３２により気流５１の第１部分５１ａを上下方向に偏向しても、奥フィン３１による気流５１の第１部分５１ａの偏向の指向性が低下しない。したがって、図４の場合の気流５２の偏向角度が図６の場合よりも優れていることが判る。
【００１７】
さらに、空気取入口４０の下流側の長辺４０ａが縦フィン３１ａの一方の側壁２１ａの接触箇所２１ｘに対応しているので、縦フィン３１ａにより気圧が高くなった状態の空気を空気取入口４０から容易に取り入れることができる。
さらに、空気流通路４１の出口４２の分岐した複数の部分４２ａから吹き出る気流５１の第２部分５１ｂは奥フィン３１により偏向された気流５１の第１部分５１ａを奥フィン３１の偏向方向に偏向するので、前フィン３２の各横フィン３２ａごとに奥フィン３１の気流５１の第１部分５１ａの偏向の指向性の低下を防ぐことができる。
さらに、出口４２の分岐した各部分４２ａは一方の壁２１ａに垂直な筒状であるので、
各部分４２ａから気流５１の第２部分５１ｂを一方の側壁２１ａに垂直に吹き出すことができる。このため、奥フィン３１による気流５１の偏向の指向性が前フィン３２により低下することを少なくすることが容易になる。
【００１８】
なお、上記実施の形態において、奥フィン３１の縦フィン３１ａの数および前フィン３２の横フィン３２ａの数は図示されたものに限定されず、必要に応じて任意の数とすることができる。
また、奥フィン３１が気流５１を左右方向に偏向し、前フィン３２が気流５１を上下方向に偏向しているが、これに限定されず、奥フィンが気流を左右方向に偏向し、前フィンが気流を上下方向に偏向するようにしてもよい。
また、図８に示すように、４個の空調吹出口装置１１〜１４（空調吹出口装置１０に相当する）をダッシュボード１に配置し、空調吹出口装置１１の気流６１および空調吹出口装置１２の気流６２を運転席３に向けて吹き出し、空調吹出口装置１３の気流６３および空調吹出口装置１４の気流６４を助手席４に向けて吹き出すようにすることができる。この場合、空調吹出口装置１１、１３が気流６１、６３を図示右方向に偏向し、空調吹出口装置１２、１４が気流６２、６４を図示左方向に偏向している。このため、空調吹出口装置１１、１３は空調吹出口装置１０と同じものであり、空調吹出口装置１２、１４は空調吹出口装置１０の空気取入口４０、空気流通路４１および出口４２を一方の側壁２１ａから他方の側壁２１ｂに付け替えたものである。なお、２はフロントガラスである。
【図面の簡単な説明】
【００１９】
【図１】本発明の実施の形態に係る空調吹出口装置を示す斜視図である。
【図２】図１の横断面を示す断面図である。
【図３】図１の一方の側壁を内部からみた状態を示す部分図である。
【図４】前記空調吹出口装置の動作状態を示す説明図である。
【図５】図４の空調吹出口装置の近傍部分を拡大して示す説明図である。
【図６】比較例の空調吹出口装置の動作状態を示す説明図である。
【図７】図６の空調吹出口装置の近傍部分を拡大して示す説明図である。
【図８】本発明の空調吹出口装置の利用例を示す説明図である。
【符号の説明】
【００２０】
１０  空調吹出口装置
２０  空気吹出口
２１  壁
３０  可動フィン群
３１  奥フィン
３１ａ  縦フィン
３１ｂ  上流側端部
３２  前フィン
３２ａ  横フィン
４０  空気取入口
４０ａ  長辺
４１  空気流通路
４２  出口
４２ａ  分岐した部分
５１  気流
５１ａ  第１部分
５１ｂ  第２部分
５２  吹き出た気流
【図１】
2008030511.tif 000003
【図２】
2008030511.tif 000004
【図３】
2008030511.tif 000005
【図４】
2008030511.tif 000006
【図５】
2008030511.tif 000007
【図６】
2008030511.tif 000008
【図７】
2008030511.tif 000009
【図８】
2008030511.tif 000010